(57)【要約】    【課題】      スループットを低下させることなく、異キャリア測定を行うこと。    【解決手段】  パケット継続判定部１２１がユーザパケットデータを観測し、自局宛のパケットを継続して受信しているか休止しているかを判定し、異キャリア測定抑制部１２２は、パケット継続判定部１２１における判定結果がパケットの休止を示している場合には、異キャリア測定を許可する信号生成し、判定結果がパケットの継続を示している場合には、異キャリア測定を許可する信号を生成しない。異キャリア測定が許可されると、異キャリア受信タイミング設定部１１２がキャリアを切り替えるタイミングをキャリア切り替え制御部１１３及びキャリア受信品質測定部１１０に通知し、そのタイミングでキャリア切り替え制御部１１３がＲＦ受信部１０２のキャリア切り替えを制御し、切り替えられたキャリアの受信品質をキャリア受信品質測定部１１０が測定する。  【選択図】      図１
2005354196.tif 000002
【特許請求の範囲】
【請求項１】
複数の異なるキャリアを切り替えて通信を行う無線通信装置であって、
パケット通信を継続して行っているか休止しているかを判定するパケット継続判定手段と、
パケット通信を継続して行っていると判定された場合、現在通信に用いているキャリアから他のキャリアである異キャリアへの切り替えを抑制し、パケット通信を休止していると判定された場合、異キャリアへの切り替えを許可する抑制手段と、
前記抑制手段によって切り替えが許可された異キャリアの受信品質を測定するキャリア受信品質測定手段と、
を具備することを特徴とする無線通信装置。
【請求項２】
前記パケット継続判定手段は、パケット通信が休止してから第１の所定時間以内にパケット通信が再開されるとパケット通信が継続していると判定し、前記第１の所定時間パケット通信が行われないとパケット通信が休止していると判定することを特徴とする請求項１に記載の無線通信装置。
【請求項３】
前記抑制手段は、前記第１の所定時間よりも長い第２の所定時間以上継続してパケット通信が行われている場合、異キャリアへの切り替えを許可することを特徴とする請求項１又は請求項２に記載の無線通信装置。
【請求項４】
連続データ通信を行っているか否かを判定する連続データ通信判定手段を具備し、
前記抑制手段は、連続データ通信を行っていると判定された場合、パケット通信が継続していても異キャリアへの切り替えを許可することを特徴とする請求項１から請求項３のいずれかに記載の無線通信装置。
【請求項５】
前記パケット継続判定手段は、通信相手から送信されたパケット通信を休止することを示すパケット休止情報に基づいて、パケット通信の継続か休止かを判定することを特徴とする請求項１から請求項４のいずれかに記載の無線通信装置。
【請求項６】
パケット通信の伝送レートを取得する伝送レート取得手段を具備し、
前記抑制手段は、前記伝送レートが所定の値より低い場合、パケット通信が継続していても異キャリアへの切り替えを許可することを特徴とする請求項１から請求項５のいずれかに記載の無線通信装置。
【請求項７】
受信したパケットの受信品質であるパケット品質を測定するパケット品質測定手段を具備し、
前記抑制手段は、前記パケット品質が所定の品質より悪い場合、パケット通信が継続していても異キャリアへの切り替えを許可することを特徴とする請求項１から請求項６のいずれかに記載の無線通信装置。
【請求項８】
自装置の移動速度を推定する移動速度推定手段を具備し、
前記抑制手段は、前記移動速度が所定の値より大きい場合、パケット通信が継続していても異キャリアへの切り替えを許可することを特徴とする請求項１から請求項７のいずれかに記載の無線通信装置。
【請求項９】
請求項１から請求項８のいずれかに記載の無線通信装置を具備することを特徴とする無線通信端末装置。
【請求項１０】
複数の異なるキャリアを切り替えて通信を行う無線通信方法であって、
パケット通信を継続して行っているか休止しているかを判定するパケット継続判定工程と、
パケット通信を継続して行っていると判定された場合、現在通信に用いているキャリアから他のキャリアである異キャリアへの切り替えを抑制し、パケット通信を休止していると判定された場合、異キャリアへの切り替えを許可する抑制工程と、
前記抑制工程によって切り替えが許可された異キャリアの受信品質を測定するキャリア受信品質測定工程と、
を具備することを特徴とする無線通信方法。
【発明の詳細な説明】
【技術分野】
【０００１】
本発明は、現在通信に用いているキャリア周波数から他のキャリア周波数に切り替える無線通信装置及び無線通信方法に関し、例えば、ＣＤＭＡ(Code Division Multiple Access)方式における無線通信端末装置に適用して好適なものである。
【背景技術】
【０００２】
近年、移動体通信においては、ユーザ数の増加によりシステム容量が逼迫しており、これを解決するため、通常単一のキャリア周波数で運用されるＣＤＭＡシステムにおいても、複数のキャリア周波数を切り替えて通信を行う方法が提案されている。この方法では、キャリア周波数を切り替える際、通信が途切れることがないように、無線通信端末装置（以下、単に「通信端末」という）は複数のキャリアの受信品質などを測定・監視する必要がある。複数キャリアの受信品質を測定・監視する技術としては、例えば、Ｗ−ＣＤＭＡ(Wideband Code Division Multiple Access)の規格書である非特許文献１に記載されたコンプレストモードが知られている。
【０００３】
コンプレストモードは、基地局と通信端末との間で通信中に、基地局がある一定周期で局所的に２倍の速度でデータを送信する区間と送信を休止する区間とを設けて通信を行うモードである。コンプレストモードの通信端末は、データが存在する区間では２倍の速度でデータを受信し、データが存在しない区間（基地局が送信を休止する区間）ではキャリア周波数を切り替えて、現在通信に用いているキャリアと異なるキャリア（以下、「異キャリア」という）の受信品質を測定する。
【０００４】
異キャリアの受信品質の測定（以下、「異キャリア測定」という）が完了すると、通信端末は測定した複数のキャリアの受信品質を基地局に通知する。基地局は、通信端末のキャリア受信品質や混雑度などを勘案し、通信端末と調整の上、データ通信を行うためのキャリアを切り替える。この一連の動作によって、音声通話のように連続的な通信であっても、その通信を継続しながら異キャリアへの切り替えを行うことができる。
【０００５】
一方、データ通信を効率よく行うために、移動体通信における高効率なパケット通信を行うシステムとして、例えば、Ｗ−ＣＤＭＡの規格書である非特許文献１の４.６章と４.７章および非特許文献２の６.４章に記載されたＨＳＤＰＡ(High Speed Downlink Packet Access)が一般に知られている。
【０００６】
ＨＳＤＰＡは、複数の通信端末で共通のチャネル（以下、「共有チャネル」という）を時分割で使用する方式である。以下、簡単にＨＳＤＰＡについて説明する。通信端末はパケットの受信品質を測定し、測定した受信品質を基地局に報告する。基地局は受信品質が良好である通信端末にチャネルを割り当てることで、効率よく共有チャネルを使用することができる。通信端末は、自分宛に共有チャネルが割り当てられている場合はそれを受信し、共有チャネルが割り当てられていない場合は受信動作を行わない。
【０００７】
一般的に、ＨＳＤＰＡなどのパケット通信は、例えば、インターネットのアクセスのように、ユーザデータがバースト的に発生するような通信において効率が良い。一方、音声通話などの連続通信は、ＨＳＤＰＡのようなパケット通信ではなく、例えばＤＰＣＨ（Dedicated Physical Channel）など専用の連続通信のチャネルを用いた方が効率がよい。
【０００８】
次に、前述した通信端末がパケット通信を行っているときに、異キャリア測定を行う場合の動作について図面を用いて説明する。図１０は、無線通信端末装置の構成を示すブロック図である。
【０００９】
図１０に示すように、基地局から送信された信号は、アンテナ１１を介してＲＦ受信部１２で受信され、ダウンコンバート等の所定の無線受信処理が行われる。ＲＦ受信部１２は、受信信号のうち連続データとパケットデータをそれぞれ異なる復調部に出力する。すなわち、連続データは連続データ復調部１３に出力し、パケットデータはパケットデータ復調部１６に出力する。連続データ復調部１３は連続データを、パケットデータ復調部１６はパケットデータをそれぞれ復調する。
【００１０】
連続データ復調部１３で復調された連続データ信号は、連続データ復号部１４によってユーザデータとして復号され、出力される。また、連続データ信号には一般的に制御データも含まれており、制御データは制御データ復号部１５によって復号され、出力される。
【００１１】
一方、パケットデータ復調部１６によって復調されたパケットデータ信号は、自分宛ての信号か否かがパケット制御情報復号部１７によって判定され、自分宛てのパケットデータである場合にはパケットデータ復号部１８においてパケットデータ信号が復号され、パケットデータが得られる。
【００１２】
瞬時受信品質測定部１９は、パケットデータ信号の受信品質を測定し、測定した受信品質を基地局に報告する。パケットデータ信号の受信品質は基地局においてＨＳＤＰＡの共有チャネルを割り当てる情報となる。
【００１３】
異キャリア受信タイミング設定部２０では、コンプレストモードのタイミングで異キャリア測定を行うことをキャリア切り替え制御部２１、キャリア受信品質測定部２２、パケット受信制御部２３に通知する。
【００１４】
キャリア切り替え制御部２１は、コンプレストモードのタイミングでＲＦ受信部１２において受信するキャリア周波数の切り替えを制御する。キャリア受信品質測定部２２は、通常は通信端末が通信に使用しているキャリア周波数の受信品質を測定しているが、異キャリア受信タイミング設定部２０により通知されたタイミングで異キャリア測定を行い、その結果を出力する。
【００１５】
パケット受信制御部２３では、異キャリア測定を行うときに、パケットの受信を行わないように、パケットデータ復調部１６および瞬時受信品質測定部１９を制御する。すなわち、異キャリアでは自局宛のパケット信号は送信されないか、あるいは送信されても受信することができないため、パケットデータ復調部１６では、異キャリア測定中は全てのパケットデータの受信を停止する。このため、現在通信に用いているキャリア周波数で受信したパケットデータ信号の受信品質を測定する瞬時受信品質測定部１９も異キャリア測定中は、通常の測定が行えない可能性のある区間については測定を停止する。なお、コンプレストモードは音声通話などの連続データ通信に適用されるモードであり、パケット通信には適用されない。
【００１６】
このように、通信端末において、異キャリア測定とパケット通信のタイミングが重なっている場合は、パケット通信より異キャリア測定が優先され、パケット通信はその間休止される。
【００１７】
なお、図１０では、より一般的な構成を示すため、音声通話などの連続的なユーザデータもパケットデータと同時に受信する場合の構成を示したが、仮にこのような音声通話がなかったとしても、一般的に制御情報などのやり取りを行うため、通信端末は連続データチャネルを受信する必要がある。
【非特許文献１】3GPP TS 25.212 V5.5.0 （3rd Generation Partnership Project; Technical Specification Group Radio Access Network; Multiplexing and channel coding（FDD）（Release 5））
【非特許文献２】3GPP TS 25.214 V5.5.0 （3rd Generation Partnership Project; Technical Specification Group Radio Access Network; Physical layer procedures （Release 5））
【発明の開示】
【発明が解決しようとする課題】
【００１８】
しかしながら、異キャリア測定を行うときにパケット通信を休止すると、パケットの受信機会が失われ、スループットが低下してしまう。特に、ＨＳＤＰＡのように複数の通信端末が時分割で共有チャネルを使用する場合には、受信機会が失われた場合、次回の共有チャネルの割り当てまでパケットが送信されず、スループット低下の影響が大きくなると考えられる。また、複数のシステムに対応した通信端末などが多数の異キャリアの受信品質を測定する場合、パケットの通信機会が失われる確率もそれに伴い上昇するため、スループットの低下もより大きくなると考えられる。
【００１９】
本発明はかかる点に鑑みてなされたものであり、スループットを低下させることなく、異キャリア測定を行う無線通信装置及び無線通信方法を提供することを目的とする。
【課題を解決するための手段】
【００２０】
本発明の無線通信装置は、複数の異なるキャリアを切り替えて通信を行う無線通信装置であって、パケット通信を継続して行っているか休止しているかを判定するパケット継続判定手段と、パケット通信を継続して行っていると判定された場合、現在通信に用いているキャリアから他のキャリアである異キャリアへの切り替えを抑制し、パケット通信を休止していると判定された場合、異キャリアへの切り替えを許可する抑制手段と、前記抑制手段によって切り替えが許可された異キャリアの受信品質を測定するキャリア受信品質測定手段と、を具備する構成を採る。
【００２１】
この構成によれば、パケット通信を継続して行っている場合には、現在通信に用いているキャリアから異キャリアへの切り替えを抑制し、パケット通信を休止している場合には、異キャリアへの切り替えを許可することにより、パケット通信を中断させないので、スループットを低下させることなく異キャリア測定を行うことができる。
【００２２】
本発明の無線通信装置は、前記パケット継続判定手段が、パケット通信が休止してから第１の所定時間以内にパケット通信が再開されるとパケット通信が継続していると判定し、前記第１の所定時間パケット通信が行われないとパケット通信が休止していると判定する構成を採る。
【００２３】
この構成によれば、パケット通信が休止してから第１の所定時間以内にパケット通信が再開されるとパケット通信が継続していると判定し、前記第１の所定時間パケット通信が行われないとパケット通信が休止していると判定することにより、断続的にパケット通信が行われている場合もパケット通信が継続しているか休止しているか判定することができる。
【００２４】
本発明の無線通信装置は、前記抑制手段が、前記第１の所定時間よりも長い第２の所定時間以上継続してパケット通信が行われている場合、異キャリアへの切り替えを許可する構成を採る。
【００２５】
この構成によれば、パケット通信が継続している間、異キャリアへの切り替えを抑制しつづけると、異キャリア測定を行うことができなくなるが、第１の所定時間よりも長い第２の所定時間以上継続してパケット通信が行われている場合、異キャリアへの切り替えを許可することにより、長時間異キャリア測定が行えなくなることを防止することができる。
【００２６】
本発明の無線通信装置は、連続データ通信を行っているか否かを判定する連続データ通信判定手段を具備し、前記抑制手段が、連続データ通信を行っていると判定された場合、パケット通信が継続していても異キャリアへの切り替えを許可する構成を採る。
【００２７】
この構成によれば、連続データ通信を行っている場合、パケット通信が継続していても異キャリアへの切り替えを許可することにより、連続データ通信に高いレベルで要求される通信の安定維持を満たすことができる。
【００２８】
本発明の無線通信装置は、前記パケット継続判定手段が、通信相手から送信されたパケット通信を休止することを示すパケット休止情報に基づいて、パケット通信の継続か休止かを判定する構成を採る。
【００２９】
この構成によれば、通信相手から送信されたパケット通信を休止することを示すパケット休止情報に基づいて、パケット通信を継続して行っているか休止しているかを判定することにより、小型化、低消費電力化が望まれる無線通信端末装置において自装置宛のパケットを監視する負担を低減することができる。
【００３０】
本発明の無線通信装置は、パケット通信の伝送レートを取得する伝送レート取得手段を具備し、前記抑制手段が、前記伝送レートが所定の値より低い場合、パケット通信が継続していても異キャリアへの切り替えを許可する構成を採る。
【００３１】
この構成によれば、送信レートが所定の値より低い場合、パケットの休止区間も短くなり、異キャリア測定がパケット休止区間で終了しなくなってしまうので、パケット通信が継続していても異キャリアへの切り替えを許可することにより、長時間異キャリア測定が行えなくなることを防止することができる。
【００３２】
本発明の無線通信装置は、受信したパケットの受信品質であるパケット品質を測定するパケット品質測定手段を具備し、前記抑制手段が、前記パケット品質が所定の品質より悪い場合、パケット通信が継続していても異キャリアへの切り替えを許可する構成を採る。
【００３３】
この構成によれば、パケット品質が所定の品質より悪い場合、パケットの休止区間も短くなり、異キャリアの測定が休止区間に終了しなくなってしまうので、パケット通信が継続していても異キャリアへの切り替えを許可することにより、長時間異キャリア測定が行えなくなることを防止することができる。
【００３４】
本発明の無線通信装置は、自装置の移動速度を推定する移動速度推定手段を具備し、前記抑制手段が、前記移動速度が所定の値より大きい場合、パケット通信が継続していても異キャリアへの切り替えを許可する構成を採る。
【００３５】
この構成によれば、移動速度が所定の値より大きい場合、通信エリアの切り替えも早いため、各通信エリアにおける最適なキャリア周波数が異なれば、キャリア周波数も速く切り替える必要があるので、パケット通信が継続していても異キャリアへの切り替えを許可することにより、円滑に異キャリアへ切り替えることができる。
【００３６】
本発明の無線通信端末装置は、上記いずれかに記載の無線通信装置を具備する構成を採る。
【００３７】
この構成によれば、パケット通信を継続して行っている場合には、現在通信に用いているキャリアから異キャリアへの切り替えを抑制し、パケット通信を休止している場合には、異キャリアへの切り替えを許可することにより、パケット通信を中断させないので、スループットを低下させることなく異キャリア測定を行うことができる。
【００３８】
本発明の無線通信方法は、複数の異なるキャリアを切り替えて通信を行う無線通信方法であって、パケット通信を継続して行っているか休止しているかを判定するパケット継続判定工程と、パケット通信を継続して行っていると判定された場合、現在通信に用いているキャリアから他のキャリアである異キャリアへの切り替えを抑制し、パケット通信を休止していると判定された場合、異キャリアへの切り替えを許可する抑制工程と、前記抑制工程によって切り替えが許可された異キャリアの受信品質を測定するキャリア受信品質測定工程と、を具備するようにした。
【００３９】
この方法によれば、パケット通信を継続して行っている場合には、現在通信に用いているキャリアから異キャリアへの切り替えを抑制し、パケット通信を休止している場合には、異キャリアへの切り替えを許可することにより、パケット通信の休止区間で異キャリア測定を行えば、パケット通信を中断させないので、スループットの低下を回避することができる。
【発明の効果】
【００４０】
以上説明したように、本発明によれば、パケット通信中は異キャリア測定を抑制し、パケット通信を行わないパケット休止区間で異キャリア測定を行うことにより、パケット通信を中断させずに異キャリア測定を行うことができるので、スループットの低下を回避することができる。
【発明を実施するための最良の形態】
【００４１】
以下、本発明の実施の形態について、図面を参照して詳細に説明する。
【００４２】
（実施の形態１）
図１は、本発明の実施の形態１に係る無線通信端末装置の構成を示すブロック図である。この図では、複数の無線通信端末装置（以下、「通信端末」という）で共有チャネルを時分割で共用するパケット通信システムを例に挙げて説明する。
【００４３】
図１において、ＲＦ受信部１０２は、基地局から送信された信号をアンテナ１０１を介して受信し、受信した信号（受信信号）のダウンコンバートなどを行い、ベースバンド信号を連続データ復調部１０３、パケットデータ復調部１０６、瞬時受信品質測定部１０９、キャリア受信品質測定部１１０に出力する。また、ＲＦ受信部１０２は、キャリア切り替え制御部１１３の制御に基づいて、受信するキャリアを切り替える。
【００４４】
連続データ復調部１０３は、ＲＦ受信部１０２から出力されたベースバンド信号に対して逆拡散、同期検波などの処理を行い、連続データ信号を抽出する。抽出された連続データ信号には、一般的に音声通話などの連続的なユーザデータと、通信端末の制御を行うための制御データが含まれている。抽出された連続データ信号は連続データ復号部１０４及び制御データ復号部１０５に出力される。
【００４５】
連続データ復号部１０４は、連続データ復調部１０３から出力された連続データ信号からユーザデータ部分を抽出し、必要であれば誤り訂正復号などの誤り制御を行って、連続ユーザデータを出力する。
【００４６】
一方、制御データ復号部１０５は、連続データ復調部１０３から出力された連続データ信号から制御データ部分を抽出し、必要であれば誤り訂正復号などの誤り制御を行って、制御データを出力する。ただし、パケット通信のみを行っている場合など、連続ユーザデータが存在しない場合もある。
【００４７】
パケットデータ復調部１０６は、ＲＦ受信部１０２から出力されたベースバンド信号に対して逆拡散、同期検波などの処理を行い、パケットデータ信号を抽出する。抽出されたパケットデータ信号には、パケット通信のための制御情報として、いずれの通信端末に宛てられたパケットであるかを示す情報(以下、「宛先情報」という)、伝送レート情報などが含まれている。抽出されたパケットデータはパケット制御情報復号部１０７及びパケットデータ復号部１０８に出力される。
【００４８】
パケット制御情報復号部１０７は、パケットデータ復調部１０６から出力されたパケットデータ信号のうち宛先情報、伝送レート情報などの制御情報を復号する。復号した宛先情報からパケットデータが自局宛か否かを判定し、判定結果をパケットデータ復号部１０８に出力する。
【００４９】
パケットデータ復号部１０８は、パケット制御情報復号部１０７から出力された判定結果に基づいて、パケットデータ復調部１０６から出力されたパケットデータ信号の復号を行う。すなわち、判定結果が自局宛であればパケットデータ信号を復号してユーザパケットデータを出力し、判定結果が自局宛でなければパケットデータ復調部１０６から出力されたパケットデータ信号を廃棄する。復号されたユーザパケットデータはキャリア測定制御部１１１に出力される。
【００５０】
瞬時受信品質測定部１０９は、ＲＦ受信部１０２から出力されたベースバンド信号を解析し、瞬時の受信品質を測定する。測定されたベースバンド信号の瞬時受信品質は基地局に送信される。基地局では、各通信端末から報告された瞬時の受信品質に基づいて、共有チャネルを割り当てる通信端末を決定することにより、効率の良いパケット通信を行うことができる。
【００５１】
キャリア受信品質測定部１１０は、ＲＦ受信部１０２から出力されたベースバンド信号を用いて、キャリアの受信品質を測定する。この受信品質の測定としては、コードあたりの受信電力やＳ/Ｎ比などが知られている。測定するキャリアとしては、現在通信に用いているキャリア周波数はもちろん、異キャリアについても測定を行い、キャリア測定の結果を基地局に報告する。
【００５２】
キャリア測定制御部１１１は、パケットデータ復号部１０８で復号されたユーザパケットデータを解析することによって、自局宛のパケットを継続して受信しているか、また、継続して受信しているのであればどれだけ継続しているかを判定し、この判定結果に基づいて異キャリア測定を許可する信号（異キャリア測定許可信号）を生成する。生成した異キャリア測定許可信号は異キャリア受信タイミング設定部１１２に出力される。なお、キャリア測定制御部１１１の詳細については後述する。
【００５３】
異キャリア受信タイミング設定部１１２は、キャリア測定制御部１１１から出力された異キャリア測定許可信号を取得すると、異キャリア測定が許可されていることを認識し、コンプレストモードの基地局送信休止区間(以下、「Ｇａｐタイミング」という)をキャリア受信品質測定部１１０、キャリア切り替え制御部１１３、パケット受信制御部１１４に通知する。また、異キャリア測定が許可されていないときは、Ｇａｐタイミングの通知は行わない。
【００５４】
キャリア切り替え制御部１１３は、異キャリア受信タイミング設定部１１２から通知されたＧａｐタイミングでキャリア切り替え信号をＲＦ受信部１０２に出力する。なお、ＲＦ受信部１０２は、キャリア切り替え信号に基づいて、現在通信に用いているキャリア周波数を他のキャリア周波数（異キャリア）に切り替えて受信を行う。Ｇａｐタイミングが終了したときは、キャリア切り替え制御部１１３が再びキャリア切り替え信号をＲＦ受信部１０２に出力し、ＲＦ受信部１０２は通信を行っていたキャリア周波数に戻して受信する。
【００５５】
パケット受信制御部１１４は、Ｇａｐタイミングでパケットの受信を行わないようにパケットデータ復調部１０６及び瞬時受信品質測定部１０９を制御する。すなわち、異キャリアでは自局宛のパケット信号が基地局から送信されないか、あるいは送信されても受信することができないため、パケットデータ復調部１０６では、異キャリア測定中は全てのパケットデータの受信を停止する。このため、現在通信に用いているキャリア周波数で受信したパケットデータ信号の受信品質を測定する瞬時受信品質測定部１０９も異キャリア測定中は、通常の測定が行えない可能性のある区間については測定を停止する。
【００５６】
次に、キャリア測定制御部１１１の構成について詳細に説明する。パケット継続判定部１２１は、パケットデータ復号部１０８から出力されたユーザパケットデータを観測し、自局宛のパケットを継続して受信しているか休止しているかを判定する。一般的にパケット通信においては、断続的にある一定時間パケットが継続したあと休止区間があり、再度パケットが断続的に継続する。すなわち、パケット継続時間中であっても、かならずしも常にパケットデータが存在するわけではなく、ごく短区間ではあるがパケットがない区間も含まれる。
【００５７】
したがって、パケットが継続しているか否かは、このパケット継続中の短区間よりも長い時間を時間Ｘとし、この時間Ｘの間パケットが存在するかどうかを確認することにより判定することができる。すなわち、パケットの受信がなくなってから時間Ｘが経過した時点でパケットの受信がない状態が継続していたら、そのパケットの受信がなくなってからの区間はパケットの休止区間であると判定すればよい。パケットの休止区間であると判定されると、その判定結果が異キャリア測定抑制部１２２に出力される。
【００５８】
抑制手段としての異キャリア測定抑制部１２２は、パケット継続判定部１２１から出力された判定結果がパケットの休止を示している場合には、異キャリアの測定を行うように異キャリア測定許可信号生成し、生成した異キャリア測定許可信号を異キャリア受信タイミング設定部１１２に出力する。一方、パケット継続判定部１２１から出力された判定結果がパケットの継続を示している場合には、異キャリアの測定は行わないように異キャリア測定許可信号の生成を行わない。
【００５９】
ところで、このような制御を行うと、自局宛のパケットを長時間継続して受信するような場合、その間異キャリア測定が行えなくなる。そこで、異キャリア測定抑制部１２２は、パケット開始時点からの時間を計測し、時間Ｙ（Ｙ＞Ｘ）の間休止区間に入らなければ、異キャリア測定許可信号を生成することにより、長時間異キャリア測定が行えなくなることを防止することができる。
【００６０】
次に、上述した構成を有する異キャリア測定制御部１１１の動作について説明する。図２（ａ）は、パケットの休止区間で異キャリア測定を行う場合を示している。パケットのトラフィックが断続的に継続したあと時間Ｘが経過するまでは、異キャリア測定が許可されず、時間Ｘが経過するとパケット休止区間であると判定されて、異キャリア測定が許可される。
【００６１】
一方、図２（ｂ）は、パケットが長時間継続している場合を示している。パケット開始から時間Ｙが経過してもなおパケットが継続している場合は、上記背景技術で説明したようにパケットの受信を中断し、異キャリアの測定を優先して行う。これにより、パケットが長時間継続している場合でも、異キャリアへの切り替えを円滑に行うことができるので、システム全体として見ればスループットの低下を回避することができる。
【００６２】
次に、上述した構成を有する通信端末の異キャリア測定制御について説明する。図３は、本発明の実施の形態１に係る無線通信端末装置の異キャリア測定制御を示すフロー図である。この図において、ステップ（以下、「ＳＴ」と省略する）３０１では、パケット伝送の開始に伴って異キャリア測定抑制部１２２がタイマ１をスタートさせる。
【００６３】
ＳＴ３０２では、異キャリア測定抑制部１２２において、タイマ１が時間Ｙ未満であるか否かが判定され、時間Ｙ未満（ＹＥＳ）であればＳＴ３０３に移行し、時間Ｙ以上（ＮＯ）であればＳＴ３０８に移行する。ＳＴ３０３では、パケット継続判定部１２１が自局宛のパケットを受信しているか否かを判定し、自局宛のパケットを受信している（ＮＯ）と判定されるとＳＴ３０２に戻り、パケットが受信されていない（ＹＥＳ）と判定されればＳＴ３０４に移行する。
【００６４】
ＳＴ３０４では、パケット継続判定部１２１がタイマ２をスタートさせ、パケットを受信していない時間を計測する。ＳＴ３０５では、パケット継続判定部１２１において、タイマ２が時間Ｘ未満であるか否かが判定され、時間Ｘ未満（ＹＥＳ）であればＳＴ３０６に移行し、時間Ｘ以上（ＮＯ）であればＳＴ３０８に移行する。
【００６５】
ＳＴ３０６では、パケット継続判定部１２１がパケットの受信が再開されたか否かを判定し、パケットの受信が再開されたと判定されると（ＹＥＳ）ＳＴ３０７に移行し、パケットの受信が再開されていないと判定されると（ＮＯ）ＳＴ３０５に戻る。ＳＴ３０７では、パケット継続判定部１２１がタイマ２をクリアし、ＳＴ３０２に戻る。
【００６６】
ＳＴ３０８では、ＳＴ３０２において、タイマ１が時間Ｙ以上と判定された場合、すなわち、自局宛のパケットを長時間継続して受信していると判定された場合、異キャリア測定抑制部１２２が異キャリア測定許可信号を生成する。同様に、ＳＴ３０５において、タイマ２がＸ以上と判定された場合、すなわち、自局宛のパケットの受信が休止区間に入っていると判定された場合、異キャリア測定抑制部１２２が異キャリア測定許可信号を生成する。
【００６７】
ＳＴ３０９では、ＲＦ受信部１０２が受信するキャリア周波数を切り替え、キャリア受信品質測定部１１０が異キャリア測定を行う。そして、ＳＴ３１０では異キャリア測定抑制部１２２がタイマ１をクリアし、ＳＴ３１１ではパケット継続判定部１２１がタイマ２をクリアする。
【００６８】
ＳＴ３１２では、パケット継続判定部１２１において、パケットデータの受信が完了したか否かが判定され、完了していれば異キャリア測定制御を終了し、完了していなければＳＴ３０１に戻り、パケットデータの受信が完了するまでＳＴ３０１からＳＴ３１２の動作を繰り返す。
【００６９】
このように本実施の形態によれば、自局宛のパケットを受信していないパケット休止区間で異キャリア測定を行うことにより、スループットの低下を回避することができ、自局宛のパケットを長時間継続して受信している場合は、パケットの受信を中断し、異キャリア測定を優先させることにより、異キャリアへの切り替えを円滑に行うことができる。
【００７０】
（実施の形態２）
実施の形態１では、自局宛のパケットを受信していないパケット休止区間で異キャリア測定を行うと共に、自局宛のパケットを長時間継続して受信している場合は、パケットの受信を中断し、異キャリア測定を優先させる場合について説明したが、本発明の実施の形態２では、音声通話などの連続ユーザデータの受信がない場合に、異キャリア測定よりパケット通信を優先させる場合について説明する。
【００７１】
図４は、本発明の実施の形態２に係る無線通信端末装置の構成を示すブロック図である。ただし、図４が図１と共通する部分には図１と同一の符号を付し、その詳細な説明は省略する。図４が図１と異なる点は、連続データ復号部１０４をデータ復号部４０１に変更した点と、連続データ受信判定部４０３を追加し、異キャリア測定抑制部１２２を異キャリア測定抑制部４０４に変更したことにより、キャリア測定制御部１１１をキャリア測定制御部４０２に変更した点である。
【００７２】
連続データ復号部４０１は、連続データ信号からユーザデータ部分を抽出し、必要であれば誤り訂正復号などの誤り制御を行って、連続ユーザデータをキャリア測定制御部４０２の連続データ受信判定部４０３に出力する。
【００７３】
連続データ受信判定部４０３は、連続データ復号部４０１から出力された連続ユーザデータを監視し、連続ユーザデータが存在するか否かを判定して、判定結果を異キャリア測定抑制部４０４に出力する。
【００７４】
異キャリア測定抑制部４０４は、パケット継続判定部１２１から出力された判定結果がパケット休止を示す場合に異キャリア測定を許可するだけではなく、連続ユーザデータが存在する場合でも異キャリア測定を許可する。すなわち、音声通話などの連続ユーザデータ通信は、通信を安定に維持するという要求がパケット通信などよりも高い。したがって、異キャリアの状態を常に把握し、いつでもキャリア周波数を切り替えられるようにしておく必要がある。そのため、連続ユーザデータを受信している場合は、上記背景技術で説明したように異キャリア測定をパケット通信より優先させる。言い換えれば、連続ユーザデータを受信していない場合は、異キャリア測定よりパケット通信を優先させる。このようにパケット通信中に連続ユーザデータも受信している場合、異キャリア測定を許可することで、円滑に異キャリアへの切り替えが行われ、連続データ通信を安定に維持することができる。
【００７５】
なお、本実施の形態では、実際に連続ユーザデータを監視することで、連続データ通信が行われているか否かを判定しているが、例えば、制御情報などに基づいて連続データ通信が行われていることを判定してもよい。
【００７６】
このように本実施の形態によれば、パケット通信中に音声通話など連続データ通信も行われている場合、パケット通信より異キャリア測定を優先し、円滑な異キャリア切り替えを行うことができ、連続データ通信を安定に維持することができる。
【００７７】
（実施の形態３）
実施の形態１では、自局宛のパケットのトラフィックを監視することにより、異キャリアの測定制御を行う場合について説明したが、本発明の実施の形態３では、基地局がパケットの送信対象としない通信端末にパケット休止区間であることを示すパケット休止情報を送信し、パケット休止情報に基づいて、異キャリア測定制御を行う場合について説明する。
【００７８】
図５は、本発明の実施の形態３に係る無線通信端末装置の構成を示すブロック図である。ただし、図５が図１と共通する部分には図１と同一の符号を付し、その詳細な説明は省略する。図５が図１と異なる点は、パケット制御情報復号部１０７をパケット制御情報復号部５０１に変更した点と、パケット継続判定部１２１をパケット継続判定部５０３に変更し、異キャリア測定抑制部１２２を異キャリア測定抑制部５０４に変更したことにより、キャリア測定制御部１１１をキャリア測定制御部５０２に変更した点である。
【００７９】
パケット制御情報復号部５０１は、パケットデータ信号のうち制御情報である宛先情報、伝送レート情報などの他に、パケットの送信対象としないパケット休止区間を示すパケット休止情報を復号する。復号したパケット休止情報は、キャリア測定制御部５０２のパケット継続判定部５０３に出力する。
【００８０】
パケット継続判定部５０３は、パケット制御情報復号部５０１から出力されたパケット休止情報に基づいて、パケットが継続しているか休止しているか判定し、判定結果を異キャリア測定抑制部５０４に出力する。すなわち、パケット制御情報復号部５０１からパケット休止情報が出力されれば、自局宛のパケットが休止するものと判定し、パケット制御情報復号部５０１からパケット休止情報が出力されなければ、自局宛のパケットを継続して受信するものと判定する。
【００８１】
異キャリア測定抑制部５０４は、パケット継続判定部５０３から出力された判定結果がパケットの休止を示している場合には、異キャリアの測定を行うように異キャリア測定許可信号生成し、生成した異キャリア測定許可信号を異キャリア受信タイミング設定部１１２に出力する。一方、パケット継続判定部５０３から出力された判定結果がパケットの継続を示している場合には、異キャリアの測定は行わないように異キャリア測定許可信号の生成を行わない。また、異キャリア測定抑制部５０４は、パケット開始時点からの時間を計測し、時間Ｙ（Ｙ＞Ｘ）の間休止区間に入らなければ、異キャリア測定許可信号を生成する。
【００８２】
なお、本実施の形態では、パケット制御情報にパケット休止情報が含まれるものとして説明したが、連続データ通信における制御情報にパケット休止情報が含まれるようにしてもよい。その場合、連続データ信号を制御データ復号部によって復号し、パケット休止情報を異キャリア測定抑制部５０４に出力することになる。
【００８３】
このように本実施の形態によれば、基地局から送信されたパケット休止情報を用いて、異キャリア測定制御を行うことにより、小型化、低消費電力化が望まれる通信端末において自局宛のパケットを監視する負担を低減することができ、スループットの低下を回避することができる。
【００８４】
（実施の形態４）
本発明の実施の形態４では、伝送レートが高い場合に異キャリア測定よりパケット通信を優先させる場合について説明する。
【００８５】
図６は、本発明の実施の形態４に係る無線通信端末装置の構成を示すブロック図である。ただし、図６が図１と共通する部分には図１と同一の符号を付し、その詳細な説明は省略する。図６が図１と異なる点は、パケット制御情報復号部１０７をパケット制御情報復号部６０１に変更した点と、伝送レート平均化部６０３を追加し、異キャリア測定抑制部１２１を異キャリア測定抑制部６０４に変更したことによりキャリア測定制御部１１１をキャリア測定制御部６０２に変更した点である。
【００８６】
パケット制御情報復号部６０１は、パケットデータ復調部１０６から出力されたパケットデータ信号のうち宛先情報、伝送レート情報などの制御情報を復号する。復号された伝送レート情報はキャリア測定制御部６０２の伝送レート平均化部６０３に出力される。
【００８７】
伝送レート平均化部６０３は、パケット制御情報復号部６０１から出力された伝送レート情報に基づいて、伝送レートを一定量平均化する。
【００８８】
ＨＳＤＰＡなどでは、パケットデータ信号の伝送レートは通信端末の受信品質に応じて変動するが、ここではある区間での平均的な伝送レートを算出する。平均する時間は、例えば１００ｍｓ程度である。平均された伝送レートは異キャリア測定抑制部６０４に出力される。
【００８９】
異キャリア測定抑制部６０４は、パケット継続判定部１２１からパケットの休止を示す判定結果が出力された場合に異キャリア測定を許可するだけでなく、伝送レート平均化部６０３から出力された伝送レートがある閾値より低い場合でも異キャリア測定を許可する。
【００９０】
パケット通信において同じデータ量を伝送するのに、低い伝送レートでは、高い伝送レートよりも長い時間を要する。したがって、低い伝送レートではパケットの休止区間も短くなり、異キャリア測定がパケット休止区間で終了しなくなってしまう。また、伝送レートが低い場合は、スループットを向上させるためにも、現在通信に用いているキャリア以外のより伝送レートが高いキャリアに移行すべきである。このようなことから、伝送レートが低い場合は上記背景技術で説明したように、異キャリア測定をパケット通信より優先させ、円滑に異キャリアへ切り替えることが望ましい。
【００９１】
このように本実施の形態によれば、パケットの伝送レートの平均値を算出し、伝送レートが低い場合は、パケット通信より異キャリア測定を優先させることにより、円滑に異キャリアへ切り替えることができる。
【００９２】
（実施の形態５）
本発明の実施の形態５では、受信したパケットデータ信号の受信品質であるパケット品質がよい場合に異キャリア測定よりパケット伝送を優先させる場合について説明する。
【００９３】
図７は、本発明の実施の形態５に係る無線通信端末装置の構成を示すブロック図である。ただし、図７が図１と共通する部分には図１と同一の符号を付し、その詳細な説明は省略する。図７が図１と異なる点は、瞬時受信品質測定部１０９を瞬時受信品質測定部７０１に変更した点と、受信品質平均化部７０３を追加し、異キャリア測定抑制部１２２を異キャリア測定抑制部７０４に変更したことにより、キャリア測定制御部１１１をキャリア測定制御部７０２に変更した点である。
【００９４】
瞬時受信品質測定部７０１は、ＲＦ受信部１０２から出力されたベースバンド信号を解析し、受信したパケットデータ信号の瞬時の受信品質（パケット品質）を測定する。測定されたベースバンド信号の瞬時受信品質（パケット品質）は基地局に送信される一方、キャリア測定制御部７０２の受信品質平均化部７０３に出力される。
【００９５】
受信品質平均化部７０３は、瞬時受信品質測定部７０１から出力された受信品質測定結果を一定量平均化する。一般に伝搬路の受信品質はフェージングなどの影響により瞬時に変動するが、ここではある区間での平均的な受信品質を算出する。平均する時間は、例えば１００ｍｓ程度である。平均された受信品質の情報は異キャリア測定抑制部７０４に出力される。
【００９６】
異キャリア測定抑制部７０４は、パケット継続判定部１２１からパケットの休止を示す判定結果が出力された場合に異キャリア測定を許可するだけでなく、受信品質平均化部７０３から出力された受信品質がある閾値より低い場合でも異キャリア測定を許可する。
【００９７】
パケット通信において受信品質が悪い場合は、誤りが生じる可能性も高く、また伝送レートも低くなり、同じデータ量を伝送するのに要する時間は、受信品質が良い場合と比較して長い。したがって、受信品質が悪いとパケットの休止区間も短くなり、異キャリアの測定が休止区間に終了しなくなってしまう。また、受信品質が悪い場合は、スループットを向上させるためにも、現在通信用いているキャリア以外のより受信品質が良いキャリアに移行すべきである。このようなことから、受信品質が悪い場合は上記背景技術で説明したように、異キャリア測定をパケット通信より優先させ、円滑に異キャリアへ切り替えることが望ましい。
【００９８】
なお、本実施の形態では、共有チャネルを割り当てる目的で測定している瞬時受信品質測定結果を利用したが、別途ベースバンド信号から受信品質を測定してもよい。
【００９９】
このように本実施の形態によれば、受信品質を平均化し、受信品質が悪い場合は、パケット通信より異キャリア測定を優先させることにより、円滑に異キャリアへ切り替えることができる。
【０１００】
（実施の形態６）
本発明の実施の形態６では、通信端末の移動速度が遅い場合に異キャリア測定よりパケット伝送を優先させる場合について説明する。
【０１０１】
図８は、本発明の実施の形態６に係る無線通信端末装置の構成を示すブロック図である。ただし、図８が図１と共通する部分には図１と同一の符号を付し、その詳細な説明は省略する。図８が図１と異なる点は、ＲＦ受信部１０２をＲＦ受信部８０１に変更した点と、移動速度推定部８０３を追加し、異キャリア測定抑制部１２２を異キャリア測定抑制部８０４に変更したことにより、キャリア測定制御部１１１をキャリア測定制御部８０２に変更した点である。
【０１０２】
ＲＦ受信部８０１は、基地局から送信された信号をアンテナ１０１を介して受信し、受信した信号（受信信号）のダウンコンバートなどを行い、ベースバンド信号を連続データ復調部１０３、パケットデータ復調部１０６、瞬時受信品質測定部１０９、キャリア受信品質測定部１１０、キャリア測定制御部８０２の移動速度推定部８０３に出力する。
【０１０３】
移動速度推定部８０３は、ＲＦ受信部８０１から出力されたベースバンド信号に基づいて移動速度を推定し、推定した移動速度を異キャリア測定抑制部８０４に出力する。
【０１０４】
移動速度を推定する方法としては、例えば、移動速度に比例して大きくなるドップラー周波数をベースバンド信号の位相回転量の大きさや、受信レベルの変動頻度から推定する方法などが知られている。
【０１０５】
異キャリア測定抑制部８０４は、パケット継続判定部１２１からパケットの休止を示す判定結果が出力された場合に異キャリア測定を許可するだけでなく、移動速度推定部８０３から出力された移動速度がある閾値より速い場合でも異キャリア測定を許可する。
【０１０６】
通信端末の移動速度が速い場合は、通信エリアの切り替えも早いため、各通信エリアにおける最適なキャリア周波数が異なれば、キャリア周波数も速く切り替える必要がある。そのため、この場合は上記背景技術で説明したように、異キャリア測定をパケット通信に優先させ、円滑に異キャリアへ切り替えることが望ましい。
【０１０７】
このように本実施の形態によれば、通信端末の移動速度を推定し、移動速度が速いときはパケット通信より異キャリア測定を優先させることにより、円滑に異キャリアへ切り替えることができる。
【０１０８】
（実施の形態７）
実施の形態１〜６では、通信端末が基地局から送信されたパケットを受信する場合について説明したが、本発明の実施の形態７では、通信端末がパケットを送信する場合、通信端末からのパケット送信を異キャリア測定より優先させる場合について説明する。
【０１０９】
図９は、本発明の実施の形態７に係る無線通信端末装置の構成を示すブロック図である。ただし、図９が図１と共通する部分には図１と同一の符号を付し、その詳細な説明は省略する。
【０１１０】
パケットデータ符号化部９０１は、送信パケットデータを誤り訂正符号などで符号化し、送信パケットデータ信号をパケットデータ変調部９０２に出力する。
【０１１１】
パケットデータ変調部９０２は、パケットデータ符号化部９０１から出力された送信パケットデータ信号を変調し、変調信号をＲＦ送受信部９０３に出力する。
【０１１２】
ＲＦ送受信部９０３は、パケットデータ変調部９０２から出力された変調信号にアップコンバート等の送信処理を施し、アンテナ１０１を介して基地局に送信する。なお、ＲＦ送受信部９０３は、キャリア切り替え制御部１１３から出力される送信キャリア情報に基づいたキャリアでの送受信を行う。ＲＦの送受信を行う場合、受信と送信の周波数をある一定間隔で連動させることにより、周波数制御を送受信で共通化することができ、コストダウンにつながる。その場合は、異キャリアの受信を行うとき、送信についても現在通信を行っているキャリアでの送信はできなくなる。このため、前述したコンプレストモードは送信についても適用される。
【０１１３】
パケット送信制御部９０４は、異キャリア受信タイミング設定部１１２から出力されたＧａｐタイミングでパケットを送信しないようにパケットデータ符号化部９０１を制御する。これにより、パケットデータ符号化部９０１は、パケット送信制御部９０４からパケットの送信を行わないように制御された場合、次の送信機会までパケットを送信しない。
【０１１４】
キャリア測定制御回路９０５は、パケットの送信が継続しているか否かを判定し、この判定結果に基づいて異キャリア測定を許可する信号（異キャリア測定許可信号）を生成する。生成した異キャリア測定許可信号は異キャリア受信タイミング設定部１１２に出力される。
【０１１５】
次に、キャリア測定制御回路９０５の動作について説明する。図９において、パケット継続判定部９１１は、パケット送信が継続しているか否かを判定する。これは、実際に送信パケットデータを観測して、継続しているか否かを判定してもよいし、パケットデータがないという情報を受け取ることで判定してもよい。
【０１１６】
異キャリア測定抑制部９１２は、パケットが休止と判定された場合は、異キャリアの測定を許可する。すなわち、通信端末からパケット送信をする場合、送信パケットが継続している間は、パケット送信を優先し、パケット送信が休止区間に入ったときに異キャリア測定を行うことにより、送信パケットのスループットを低下させることなく、異キャリア測定を行うことができる。
【０１１７】
このように本実施の形態によれば、通信端末がパケットを送信する場合、通信端末からのパケット送信を異キャリア測定より優先させ、異キャリア測定をパケット送信が休止している間に行うことにより、パケット通信のスループットを低下させることなく通信を行うことができる。
【産業上の利用可能性】
【０１１８】
本願発明にかかる無線通信装置及び無線通信方法は、パケット通信を中断させずに異キャリア測定を行い、スループットの低下を回避するという効果を有し、例えば、ＣＤＭＡ方式における無線通信端末装置に適用することができる。
【図面の簡単な説明】
【０１１９】
【図１】本発明の実施の形態１に係る無線通信端末装置の構成を示すブロック図
【図２】（ａ）パケットの休止区間で異キャリア測定を行う場合を示す図、（ｂ）パケットが長時間継続している場合を示す図
【図３】本発明の実施の形態１に係る無線通信端末装置の異キャリア測定制御を示すフロー図
【図４】本発明の実施の形態２に係る無線通信端末装置の構成を示すブロック図
【図５】本発明の実施の形態３に係る無線通信端末装置の構成を示すブロック図
【図６】本発明の実施の形態４に係る無線通信端末装置の構成を示すブロック図
【図７】本発明の実施の形態５に係る無線通信端末装置の構成を示すブロック図
【図８】本発明の実施の形態６に係る無線通信端末装置の構成を示すブロック図
【図９】本発明の実施の形態７に係る無線通信端末装置の構成を示すブロック図
【図１０】無線通信端末装置の構成を示すブロック図
【符号の説明】
【０１２０】
１０１  アンテナ
１０２、８０１  ＲＦ受信部
１０３  連続データ復調部
１０４  連続データ復号部
１０５  制御データ復号部
１０６  パケットデータ復調部
１０７、５０１、６０１  パケット制御情報復号部
１０８  パケットデータ復号部
１０９、７０１  瞬時受信品質測定部
１１０  キャリア受信品質測定部
１１１  キャリア測定制御部
１１２  異キャリア受信タイミング設定部
１１３  キャリア切り替え制御部
１１４  パケット受信制御部
１２０、４０１、５０２、６０２、７０２、８０２、９０５  キャリア測定制御部
１２１、５０３、９１１  パケット継続判定部
１２２、４０３、５０４、６０４、７０４、８０４、９１２  異キャリア測定抑制部
４０２  連続データ受信判定部
６０３  伝送レート平均化部
７０３  受信品質平均化部
８０３  移動速度推定部
９０１  パケットデータ符号化部
９０２  パケットデータ変調部
９０３  ＲＦ送受信部
９０４  パケット送信制御部
【図１】
2005354196.tif 000003
【図２】
2005354196.tif 000004
【図３】
2005354196.tif 000005
【図４】
2005354196.tif 000006
【図５】
2005354196.tif 000007
【図６】
2005354196.tif 000008
【図７】
2005354196.tif 000009
【図８】
2005354196.tif 000010
【図９】
2005354196.tif 000011
【図１０】
2005354196.tif 000012